Podtech/llm-jp-corpus-v4-ja_patent huggingface dataset:
【手続補正書】
【提出日】平成30年11月8日(2018.11.8)
【手続補正１】
【補正対象書類名】特許請求の範囲
【補正対象項目名】全文
【補正方法】変更
【補正の内容】
【特許請求の範囲】
【請求項１】
コアおよび複数のプローブ要素を含むプローブであって、複数のプローブ要素内の各プローブ要素はコアから伸長しており、フルオロフォアおよび結合部分を含み、結合部分は、細菌結合部分であり、少なくとも一部の細菌と選択的に結合するが、哺乳動物細胞などの動物細胞とは結合しないか、もしくは極めて弱くしか結合しないか、または結合部分は、真菌結合部分であるか、または結合部分は、少なくとも一部の細菌および少なくとも一部の真菌と選択的に結合するが、哺乳動物細胞などの動物細胞とは結合しないか、もしくは極めて弱くしか結合しない場合もある、プローブ。
【請求項２】
複数のプローブ要素が、少なくとも３つのプローブ要素を含む、請求項１に記載のプローブ。
【請求項３】
１つまたは複数のプローブ要素の結合部分が、完全長ユビキシジン（配列番号１）などのユビキシジン部分またはそのフラグメントもしくはバリアントである、請求項１または２に記載のプローブ。
【請求項４】
結合部分が、アミノ酸２９から４１のユビキシジンフラグメント（ＵＢＩ２９〜４１、配列番号２）であり、または
結合部分が、元のメチオニンアミノ酸に対するノルロイシンアミノ酸の置換を含むＵＢＩ２９〜４１（ＵＢＩ２９〜４１Ｎｌｅ、配列番号３）である、請求項３に記載のプローブ。
【請求項５】
複数のプローブ要素内の各プローブ要素が、同じフルオロフォアを含むか、または各プローブ要素が、異なるフルオロフォアを含む、請求項１から４のいずれか一項に記載のプローブ。
【請求項６】
複数のプローブ要素内の各プローブ要素のフルオロフォアが、フルオロフォアの蛍光の強度または量子収率がフルオロフォアの周囲環境に依存するような環境感受性フルオロフォアであり、任意選択で、フルオロフォアの量子収率または強度が、細胞膜内などの疎水性環境においてより高く、任意選択で、複数のプローブ要素内の１つまたは複数のプローブ要素のフルオロフォアが、７−ニトロベンズ−２−オキサ−１，３−ジアゾール（ＮＢＤ）、マラカイトグリーン、スチリルベースの染料、カスケードイエロー、プロダン（別名１−プロパノン、１−（６−（ジメチルアミノ）−２−ナフタレニル）、ダンシル（別名５−（ジメチルアミノ）ナフタレン−１−スルホニル）、Ｄａｐｏｘｙｌ、ＰｙＭＰＯ（別名１−（３−（スクシンイミジルオキシカルボニル）ベンジル）−４−（５−（４−メトキシフェニル）オキサゾール−２−イル）ピリジニウム）、ピレンおよびジエチルアミノクマリンまたはその誘導体もしくはバリアントである、請求項１から５のいずれか一項に記載のプローブ。
【請求項７】
複数のプローブ要素内の各プローブ要素のフルオロフォアが、ＮＢＤ部分である、請求項６に記載のプローブ。
【請求項８】
複数のプローブ要素内のプローブ要素のうち１つまたは複数のフルオロフォアが、長い蛍光寿命を有し、フルオロフォアの長い蛍光寿命が、バックグラウンドの自家蛍光を上回ってプローブの検出を可能にし、任意選択で、
フルオロフォアが、アザジオキサトリアングレン（ＡＤＯＴＡ）染料もしくはジアザオキサトリアングレン（ＤＡＯＴＡ）またはその誘導体である、請求項１から５のいずれか一項に記載のプローブ。
【請求項９】
フルオロフォアが、光音響イメージングにより検出可能である、請求項１から８のいずれか一項に記載のプローブ。
【請求項１０】
複数のプローブ要素内の隣接するプローブ要素の１つまたは複数のフルオロフォアが、プローブの１つまたは複数の他のフルオロフォアの蛍光を消光することができ、プローブの環境が変化するとき、自己消光が妨げられるか、または低減される、請求項１から９のいずれか一項に記載のプローブ。
【請求項１１】
プローブが、切断可能なリンカーによってコアと連結されたクエンチャーを含み、複数のプローブ要素内の１つまたは複数のプローブ要素のフルオロフォアは、コアが切断可能なリンカーによってクエンチャーと連結されている場合、クエンチャーによって実質的に蛍光消光され、切断可能なリンカーが切断されると、コアはクエンチャーから分離され、それにより複数のプローブ要素も分離され、または
プローブが、コアと連結されたクエンチャーを含み、複数のプローブ要素が、切断可能なリンカーによってコアと連結され、複数のプローブ要素内の１つまたは複数のプローブ要素のフルオロフォアが、複数のプローブ要素内のそのまたは各々のプローブ要素が切断可能なリンカーによってコアと、それによりクエンチャーと連結されている場合、クエンチャーによって実質的に蛍光消光され、コアは、切断可能なリンカーが切断されると複数のプローブ要素から分離され、それによりクエンチャーも分離される、請求項１から１０のいずれか一項に記載のプローブ。
【請求項１２】
プローブが、以下の構造：
【化１】
2018501780.tif 000001
のうちの１つを有し、式中、
Ｌ＝スペーサー基（例えば、Ｃ３〜Ｃ１０アルキル、（（ＣＨ２）２Ｏ）ｘであり、ここでｘ＝１〜６である）
Ｆ＝フルオロフォア（例えば、ＮＢＤ、フルオレセイン）
Ｂ＝結合部分（例えば、ユビキシジン部分、ポリミキシン部分）
Ｃ＝コア（例えば、炭素、−Ｃ（ＣＨ２Ｏ（ＣＨ２）３）３、ＮＨ２ＣＯＮＨＣ（ＣＨ２Ｏ（ＣＨ２）３）３）
である、請求項１から１１のいずれか一項に記載のプローブ。
【請求項１３】
プローブが、コアに連結された３つのプローブ要素を含み、各プローブ要素が、ＮＢＤ−（ＣＨ２）５ＣＯ−ＵＢＩＮｌｅを含み、または
プローブが、コアに連結された３つのプローブ要素を含み、３つのプローブ要素のそれぞれが、ＮＢＤ−（ＣＨ２）２Ｏ（ＣＨ２）２ＯＣＨ２−ＰＭＸを含み、または
プローブが、構造：
【化２】
2018501780.tif 000002
を有する、請求項１２に記載のプローブ。
【請求項１４】
標的領域において細菌および／または真菌を検出する方法であって、
（１）請求項１から１３のいずれか一項に記載の第１のプローブを準備するステップと、
（２）第１のプローブを標的領域に送達するステップと、
（３）適した波長の光を標的領域に照射して、第１のプローブのフルオロフォアを励起するステップと、
（４）第１のプローブが標的領域内の細菌および／または真菌を標識したかどうかを判定するステップと
を含む、方法。
【請求項１５】
請求項１から１３のいずれか一項に記載の、細菌の亜集団と特異的に結合する結合部分を含む第２のプローブを準備するステップと、第２のプローブを標的領域に送達するステップと、適した波長の光を標的領域に照射して、第２のプローブの、そのまたは各々のフルオロフォアを励起するステップとを含む、請求項１４に記載の方法。
【請求項１６】
第１のプローブが、結合部分として完全長ユビキシジンなどのユビキシジン部分またはそのフラグメントもしくはバリアントを含み、および／または
第２のプローブが、結合部分として完全長ポリミキシンなどのポリミキシン部分またはそのフラグメントもしくはバリアントを含み、第２のプローブが、グラム陰性細菌と選択的に結合してもよい、請求項１５に記載の方法。
【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
複数のコネクタに結合された通信トランシーバと、
データワードにエラー検出定数(EDC)を既定数の最下位ビットとして付加するように構成されたエラーコード挿入回路と、
前記データワードおよび前記EDCを遷移数に変換するように構成された第1のエンコーダであって、前記遷移数は、複数の数字を含む、第1のエンコーダと、
前記遷移数を前記複数のコネクタ上のシンボルのシーケンスとして送信するように構成されたトランスミッタ回路であって、前記遷移数の各数字は、前記シンボルのシーケンスにおける連続するシンボルのペア間の遷移を識別し、トランスミッタ回路とを備え、
前記EDCは、規定値を有し、デコーダが前記シンボルのシーケンスにおける1つまたは複数のシンボルエラーを検出するのを可能にするように、前記最下位ビットの前記既定数は、前記複数のコネクタ上のデータ送信を符号化するのに利用可能なシンボル当たり状態の総数に基づいて決定される、デバイス。
【請求項２】
前記遷移数の数字および先行するシンボルを使用して前記シンボルのシーケンスにおける各シンボルを生成するように構成された第2のエンコーダをさらに備え、前記シンボルのシーケンスにおける連続するシンボル間の遷移にクロック情報が埋め込まれる、請求項１に記載のデバイス。
【請求項３】
前記最下位ビットの前記既定数は、前記データワードを符号化するのに使用されるシンボルの総数にさらに基づいて決定される、請求項１に記載のデバイス。
【請求項４】
前記複数のコネクタは、N個のシングルエンドコネクタを備え、データ送信を符号化するのに利用可能なシンボル当たり状態の前記総数は2N-xであり、この場合、xは少なくとも1である、請求項１に記載のデバイス。
【請求項５】
前記複数のコネクタは、N個のマルチレベル差動コネクタを備え、データ送信を符号化するのに利用可能なシンボル当たり状態の前記総数はN!-xであり、この場合、xは少なくとも1である、請求項１に記載のデバイス。
【請求項６】
各遷移において利用可能な状態の総数は3であり、前記EDCは8ビットを含む、請求項１に記載のデバイス。
【請求項７】
各遷移において利用可能な状態の総数は3であり、前記シンボルのシーケンスは17個以上のシンボルを含み、前記EDCは9ビットを含む、請求項１に記載のデバイス。
【請求項８】
各遷移において利用可能な状態の総数は5であり、前記EDCは10ビットを含む、請求項１に記載のデバイス。
【請求項９】
各遷移において利用可能な状態の総数は5であり、前記シンボルのシーケンスは8個以上のシンボルを含み、前記EDCは11ビットを含む、請求項１に記載のデバイス。
【請求項１０】
マルチワイヤインターフェース上でデータを送信する方法であって、
複数のコネクタを介して送信すべき複数のビットを供給するステップであって、前記複数のビットは、既定数の最下位ビットとして提供されるエラー検出定数(EDC)を含む、ステップと、
前記複数のビットを遷移数に変換するステップであって、前記遷移数は、複数の数字を含む、ステップと、
前記遷移数を前記複数のコネクタ上のシンボルのシーケンスとして送信するステップであって、前記遷移数の各数字は、前記シンボルのシーケンスにおける連続するシンボルのペア間の遷移を識別する、ステップとを含み、
前記遷移数は、考えられるシンボル当たり状態の最大数に基づく記数法を使用して表され、
前記EDCは、既定値を有し、デコーダが前記シンボルのシーケンスにおける1つまたは複数のシンボルエラーを検出するのを可能にするように、前記最下位ビットの前記既定数は、前記複数のコネクタ上のデータ送信を符号化するのに利用可能なシンボル当たり状態の総数に基づいて決定される、方法。
【請求項１１】
各遷移において利用可能な状態の総数は3であり、前記EDCは8ビットを含む、請求項１０に記載の方法。
【請求項１２】
各遷移において利用可能な状態の総数は3であり、前記シンボルのシーケンスは17個以上のシンボルを含み、前記EDCは9ビットを含む、請求項１０に記載の方法。
【請求項１３】
各遷移において利用可能な状態の総数は5であり、前記EDCは10ビットを含む、請求項１０に記載の方法。
【請求項１４】
マルチワイヤインターフェースからデータを受信する方法であって、
複数のコネクタからシンボルのシーケンスを受信するステップと、
前記シンボルのシーケンスを、複数の数字を有する遷移数に変換するステップであって、前記遷移数の各数字が、前記複数のコネクタ上で送信される2つの連続するシンボル間の遷移を表す、ステップと、
前記遷移数を複数のビットに変換するステップと、
前記複数のビットに含まれるエラー検出器定数(EDC)の値に基づいて前記シンボルのシーケンスの送信時にシンボルエラーが発生したかどうかを判定するステップとを含み、
前記EDCは、前記複数のコネクタ上のデータ送信を符号化するために定義されたシンボル当たり状態の総数に基づいて決定された既定値および長さを有する方法。
【請求項１５】
シンボルのシーケンスを受信するのに使用されるクロック信号を生成するように構成されたクロック復元回路を含む複数のコネクタから前記シンボルのシーケンスを受信するための手段と、
前記シンボルのシーケンスを、複数の数字を有する遷移数に変換するための手段であって、前記遷移数の各数字が、前記複数のコネクタ上で送信される2つの連続するシンボル間の遷移を表す手段と、
前記遷移数を複数のビットに変換するための手段と、
前記複数のビットに含まれるエラー検出器定数(EDC)の値に基づいて前記シンボルのシーケンスの送信時にシンボルエラーが発生したかどうかを判定するための手段とを備え、
前記EDCは、前記複数のコネクタ上のデータ送信を符号化するために定義されたシンボル当たり状態の総数に基づいて決定された既定値および長さを有する、装置。
【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
高粘性の液体を気体により負荷する装置であって、
液体（１１）および気体を収容する圧力容器（１２）と、
前記圧力容器（１２）を少なくとも部分的に垂直方向に貫通する駆動シャフト（１６）を備えた、前記圧力容器（１２）の中に配置される攪拌装置（１５）とを有している、そのような装置において、
前記駆動シャフト（１６）は搬送管（２０）の中に配置されるとともに、前記搬送管（２０）を通して少なくとも１つの排出部（２２）まで液体（１１）を運ぶ搬送機構（１９）を駆動し、前記搬送管（２０）からの前記排出部（２２）の下方に前記排出部（２２）から流れてくる液体（１１）のための流出面（２５）が設けられていることを特徴とする装置。
【請求項２】
前記搬送機構（１９）は前記搬送管（２０）の中に配置されて前記駆動シャフト（１６）と回転しないように連結された搬送スクリューによって形成されることを特徴とする、請求項１に記載の装置。
【請求項３】
前記搬送スクリュー（１９）は前記搬送管（２０）の下側端部のところでこれから若干突き出していることを特徴とする、請求項２に記載の装置。
【請求項４】
前記流出面（２５）は前記搬送管（２０）の周りに配置された円錐面または円錐台面によって形成されることを特徴とする、請求項１から請求項３のいずれか１項に記載の装置。
【請求項５】
前記流出面（２５）の傾斜角を最大値と最小値の間で無段階に調整可能であることを特徴とする、請求項１から請求項４のいずれか１項に記載の装置。
【請求項６】
前記圧力容器（１２）は前記流出面（２５）の上方に配置された少なくとも１つの液体流入部（３９）を有していることを特徴とする、請求項１から請求項５のいずれか１項に記載の装置。
【請求項７】
少なくとも１つの圧縮気体接続部（２７；２９）を有していることを特徴とする、請求項１から請求項６のいずれか１項に記載の装置。
【請求項８】
前記または１つの圧縮気体接続部（２７）は液面（２８）の上方で前記圧力容器（１２）に連通することを特徴とする、請求項７に記載の装置。
【請求項９】
前記または１つの圧縮気体接続部（２９）は液面（２８）の下方で前記圧力容器（１２）に連通することを特徴とする、請求項７または請求項８に記載の装置。
【請求項１０】
前記圧縮気体接続部（２９）は、複数の気体出口（３１）を備える、容器（１２）の下側に配置された気体負荷リング（３０）を有していることを特徴とする、請求項９に記載の装置。
【請求項１１】
液面（２８）の下方で前記圧力容器（１２）に接続された液体導出配管（３３）と、一方で液体導出配管（３３）および他方で少なくとも１つの液体流入部（３９）と接続可能な再循環配管（３８）とを有していることを特徴とする、請求項１から請求項１０のいずれか１項に記載の装置。
【請求項１２】
液面（２８）の下方の測定点（３５）または前記液体導出配管（３３）に接続された気体負荷測定装置（３６）を有していることを特徴とする、請求項１から請求項１１のいずれか１項に記載の装置。
【請求項１３】
前記流出面（２５）には少なくとも１つのオーバーフロー開口部（４０）が配置されていることを特徴とする、請求項１から請求項１２のいずれか１項に記載の装置。
【請求項１４】
前記オーバーフロー開口部（４０）はバルブ部材によって、上から下への貫流に対して遮蔽されていることを特徴とする、請求項１３に記載の装置。
【請求項１５】
前記流出面（２５）の下側縁部に垂直方向の円筒状の案内面（２６）が後続しており、該案内面は少なくとも液面（２８）のレベルまで達していることを特徴とする、請求項１から請求項１４のいずれか１項に記載の装置。
【請求項１６】
高粘性の液体を気体により負荷する方法において、圧力容器（１２）でその中に収容された液体が攪拌装置（１５）によって攪拌され、容器内部で搬送管（２０）を通して液面（２８）の上方のレベルまで搬送され、排出部（２２）を通って流出面（２５）へと搬送されて、該流出面の上で液体が薄い層として配分されて流出し、その際に液面（２８）の上方で圧力のもとにある気体により負荷される方法。
【請求項１７】
容器内部の圧力レベル、単位時間あたりに前記搬送管（２０）を通る搬送量、および／または前記流出面の傾斜を調整可能であることを特徴とする、請求項１６に記載の方法。
【手続補正書】
【提出日】平成30年7月11日(2018.7.11)
【手続補正１】
【補正対象書類名】特許請求の範囲
【補正対象項目名】全文
【補正方法】変更
【補正の内容】
【特許請求の範囲】
【請求項１】
第１の二酸化炭素含量を持つ二酸化炭素が負荷された溶媒から二酸化炭素を除去するプロセスであって、
二酸化炭素が負荷された溶媒に、少なくとも約４気圧〜せいぜい１０気圧の第１の圧力を加え、二酸化炭素が負荷された溶媒を第１の温度まで熱するステップ、
二酸化炭素が負荷された溶媒を第１段階のフラッシュ装置に供給するステップ、
第１の二酸化炭素含量より少ない第２の二酸化炭素含量、及び第１の二酸化炭素を含むガス流を持つ第１の処理された溶媒を産出するために、第１段階のフラッシュ装置内で二酸化炭素が負荷された溶媒から二酸化炭素をフラッシュするステップ、
第１段階のフラッシュ装置から第１の二酸化炭素を含むガス流を除去するステップ、
第１の処理された溶媒を、第１の温度より低い第２の温度、及び第１の圧力より低い第２の圧力で第２段階フラッシュ装置に供給するステップ、
第２の二酸化炭素含量より少ない第３の二酸化炭素含量及び、第２の二酸化炭素を含むガス流を持つ第２の処理された溶媒を産出するために、第２段階のフラッシュ装置内で第１の処理された溶媒から二酸化炭素をフラッシュするステップ、
第２段階のフラッシュ装置から第２の二酸化炭素を含むガス流を除去するステップ、及び
第２段階のフラッシュ装置から第２の処理された溶媒を回収するステップ、を含むプロセス。
【請求項２】
第１の温度は少なくとも約摂氏１２５度である、ことを特徴とする、請求項１に記載のプロセス。
【請求項３】
第１の温度は少なくとも約摂氏１３５度であり、第１の圧力が少なくとも約８気圧であることを特徴とする、請求項１に記載のプロセス。
【請求項４】
第２の温度は高くても約摂氏１２０度であり、第２の圧力は高くても約３気圧であることを特徴とする、請求項１に記載のプロセス。
【請求項５】
第２の温度は高くても約摂氏１１０度であり、第２の圧力は高くても約１．５気圧であることを特徴とする、請求項１に記載のプロセス。
【請求項６】
第１の二酸化炭素含量は少なくとも約８重量％であることを特徴とする、請求項１に記載のプロセス。
【請求項７】
第２の二酸化炭素含量は高くても約６重量％であることを特徴とする、請求項１に記載のプロセス。
【請求項８】
第３の二酸化炭素含量は、高くても約４重量％であることを特徴とする、請求項１に記載のプロセス。
【請求項９】
第１段階のフラッシュ装置はリボイラーを含むことを特徴とする、請求項１に記載のプロセス。
【請求項１０】
第２段階のフラッシュ装置はフラッシュタンクを含むことを特徴とする、請求項１に記載のプロセス。
【請求項１１】
二酸化炭素が負荷された溶媒はアンモニア水、アミン系溶媒、炭酸カリウム水溶液、及びそれらの組み合わせからなる群から選ばれる溶媒を含むことを特徴とする、請求項１に記載のプロセス。
【請求項１２】
二酸化炭素が負荷された溶媒は活性化されたＮ−メチル・ジエタノールアミンを含むことを特徴とする、請求項１に記載のプロセス。
【請求項１３】
第１の二酸化炭素含量を持つ二酸化炭素が負荷された溶媒から二酸化炭素を除去するプロセスであって、
二酸化炭素が負荷された溶媒を少なくとも約摂氏１２５度の第１の温度に熱し、少なくとも約４気圧〜せいぜい１０気圧の第１の圧力を与えるステップ、
第１段階のリボイラーに二酸化炭素が負荷された溶媒を供給するステップ、
第１の二酸化炭素含量より少ない第２の二酸化炭素含量、及び第１の二酸化炭素を含むガス流を持つ第１の処理された溶媒を産出するために、第１段階のリボイラー内で二酸化炭素が負荷された溶媒から二酸化炭素をフラッシュするステップ、
第１段階リボイラーから第１の二酸化炭素を含むガス流を除去するステップ、
高くても約１２０度の第２の温度及び、第１の圧力より少なくとも約４０パーセント低い第２の圧力で第２段階のフラッシュタンクに第１の処理された溶媒を供給するステップ、
第２の二酸化炭素含量より少ない第３の二酸化炭素含量、及び、第２の二酸化炭素を含むガス流を持つ第２の処理された溶媒を産出するために、第２段階のフラッシュタンク内で第１の処理された溶媒から二酸化炭素をフラッシュするステップ、
第２段階のフラッシュタンクから第２の二酸化炭素を含むガス流を除去するステップ、
及び、
第２段階のフラッシュタンクから第２の処理された溶媒を回収するステップ、を含むプロセス。
【請求項１４】
第１の温度は少なくとも約摂氏１３５度であり、第１の圧力が少なくとも約８気圧であることを特徴とする、請求項１３に記載のプロセス。
【請求項１５】
第２の温度は高くても約摂氏１１０度であり、第２の圧力は高くても約３気圧であることを特徴とする、請求項１３に記載のプロセス。
【請求項１６】
第１の二酸化炭素を含むガス流を多段階の圧縮トレインの第２段階に供給するステップ、
第２の二酸化炭素を含むガス流を多段階の圧縮トレインの第１段階に供給するステップ、
及び、
第１と第２の二酸化炭素を含むガス流を圧縮するステップ、をさらに含むことを特徴とする、請求項１３に記載のプロセス。
【請求項１７】
第１の二酸化炭素を含むガス流を多段階の圧縮トレインの第３段階に供給するステップ、
第２の二酸化炭素を含むガス流を多段階の圧縮トレインの第１段階に供給するステップ、
及び、
第１と第２の二酸化炭素を含むガス流を圧縮するステップ、をさらに含むことを特徴とする、請求項１３に記載のプロセス。
【請求項１８】
第１の二酸化炭素含量を持つ二酸化炭素が負荷された溶媒から二酸化炭素を除去するプロセスであって、
第１の二酸化炭素含量より少ない第２の二酸化炭素含量、及び第１の二酸化炭素を含むガス流を持つ第１の処理された溶媒を産出するために、第１段階のフラッシュ装置内で二酸化炭素が負荷された溶媒から二酸化炭素をフラッシュするステップであって、前記第１の二酸化炭素を含むガス流が少なくとも６気圧の圧力で、かつ周囲温度と同じか、もしくはわずかに高い温度である、ステップ、及び
第２の二酸化炭素含量より少ない第３の二酸化炭素含量、及び、第２の二酸化炭素を含むガス流を持つ第２の処理された溶媒を産出するために、第２段階のフラッシュ装置内で第１の処理された溶媒から二酸化炭素をフラッシュするステップ、を含むプロセス。
【請求項１９】
第１の二酸化炭素を含むガス流を多段階の圧縮トレインの第２段階に供給するステップ、
第２の二酸化炭素を含むガス流を多段階の圧縮トレインの第１段階に供給するステップ、及び
第１と第２の二酸化炭素を含むガス流を圧縮するステップ、をさらに含むことを特徴とする、請求項１８に記載のプロセス。
【請求項２０】
第１の二酸化炭素を含むガス流を多段階の圧縮トレインの第３段階に供給するステップ、
第２の二酸化炭素を含むガス流を多段階の圧縮トレインの第１段階に供給するステップ、及び
第１と第２の二酸化炭素を含むガス流を圧縮するステップ、をさらに含むことを特徴とする、請求項１８に記載のプロセス。
【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
結合研磨物品の製造方法であって、
研磨粒子と、バインダー剤と、γ−ピロン細孔誘導材料と、を含む結合可能研磨組成物を調製することと、
前記結合可能研磨組成物から前駆研磨構造体を形成することと、
前記前駆研磨構造体から前記γ−ピロン細孔誘導材料を除去して多孔質前駆研磨構造体を得ることと、
前記多孔質前駆研磨構造体を加工処理して結合研磨物品を得ることと、を含む方法。
【請求項２】
前記γ−ピロン細孔誘導材料がエチルマルトールを含む、請求項１に記載の方法。
【請求項３】
結合研磨物品の形成に使用するための結合可能研磨組成物であって、
研磨粒子と、
バインダー剤と、
γ−ピロン細孔誘導材料と、を含む結合可能研磨組成物。
【請求項４】
前記γ−ピロン細孔誘導材料がエチルマルトールを含む、請求項３に記載の結合可能
研磨組成物。
【手続補正書】
【提出日】平成30年1月31日(2018.1.31)
【手続補正１】
【補正対象書類名】明細書
【補正対象項目名】００１２
【補正方法】変更
【補正の内容】
【００１２】
【図１】本発明の特定の実施形態による、関節運動式眼科手術用エンドプローブの概略図である。
【図２】本発明の特定の実施形態による、プルワイヤ、カニューレ及びハンドル組立体を示す。
【図３】本発明の特定の実施形態による、ハンドル組立体の重要特徴及びキーパスポケットを示す。
【図４】本発明の特定の実施形態によるフレア状の近位端を有するカニューレを示す。
【図５】本発明の特定の実施形態による、プルワイヤの張力を調整するためのサムスイッチを示す。
【図６】本発明の特定の実施形態による、プルワイヤの張力を調整するためのサムスイッチを示す。
【図７】本発明の特定の実施形態による、サムスイッチを有する保護カバーを示す。
【図８Ａ】本発明の特定の実施形態による、関節運動式眼科手術用プローブの組立方法の実施例を示すフロー図である。
【図８Ｂ】本発明の特定の実施形態による、関節運動式眼科手術用プローブの組立方法の実施例を示すフロー図である。
【誤訳訂正書】
【提出日】平成30年10月10日(2018.10.10)
【誤訳訂正１】
【訂正対象書類名】特許請求の範囲
【訂正対象項目名】全文
【訂正方法】変更
【訂正の内容】
【特許請求の範囲】
【請求項１】
光線治療療法下の生体のバイタルサイン情報をリモートで得るデバイスであって、
少なくとも前記生体の関心領域から反射される少なくとも１つの波長間隔の光を検出し、前記検出された光から入力信号を生成する検出ユニットと、
前記入力信号を処理し、遠隔フォトプレチスモグラフィ及び／又は運動分析を用いて、前記入力信号から前記生体のバイタルサイン情報を得る処理ユニットと、
前記光線治療療法を前記生体に提供する照明ユニットと通信する照明ユニットインタフェースと、
前記検出ユニットの調整可能パラメータ又は不変の特性及び前記照明ユニットの調整可能パラメータ又は不変の特性に直接的に基づき、前記検出ユニット及び前記照明ユニットの少なくとも１つを制御する制御ユニットとを有する、デバイス。
【請求項２】
前記照明ユニットが、ＬＥＤのアレイを含み、
前記制御ユニットは、前記生体の前記関心領域において光構造を生成するよう、前記ＬＥＤのアレイを制御するよう構成される、請求項１に記載のデバイス。
【請求項３】
前記処理ユニットが、前記検出された光に基づき、前記生体の前記関心領域における前記光構造の変化を決定し、前記光構造の前記決定された変化を評価することに基づき、前記生体の呼吸レートを得るよう構成される、請求項２に記載のデバイス。
【請求項４】
前記照明ユニットが、ＬＥＤのアレイを含み、
前記制御ユニットは、前記生体の前記関心領域において第１の光構造及び第２の光構造を交番で生成するよう、前記ＬＥＤのアレイを制御するよう構成され、
前記交番する光構造が、５０Ｈｚより大きい交番周波数で交互する、請求項１に記載のデバイス。
【請求項５】
前記制御ユニットが更に、前記交番周波数で前記交番する光構造の別の光構造が生成されるとき作動するよう、前記検出ユニットを制御するよう構成される、請求項４に記載のデバイス。
【請求項６】
前記照明ユニットが、ＬＥＤのアレイを含み、
前記制御ユニットが、前記ＬＥＤのアレイにおけるＬＥＤの少なくともサブセットを用いて、前記生体の前記関心領域を周期的に照射するよう、前記ＬＥＤのアレイを制御するよう構成される、請求項１に記載のデバイス。
【請求項７】
前記制御ユニットが、前記照明ユニットが光線治療光を提供する周波数である点滅周波数に基づき前記照明ユニットがオフのとき作動するよう前記検出ユニットを制御するよう構成される、請求項１に記載のデバイス。
【請求項８】
前記照明ユニットが、光線治療光を放出する第１の光源と、遠隔フォトプレチスモグラフィに適した周波数スペクトルの光を放出する第２の光源とを含み、
前記制御ユニットは、前記関心領域を交互に照射するよう、前記第１の光源及び前記第２の光源を制御するよう構成される、請求項７に記載のデバイス。
【請求項９】
前記照明ユニットが、ＬＥＤのアレイを含み、
前記制御ユニットが、ＬＥＤの第１のサブセット及びＬＥＤの第２のサブセットを用いて前記関心領域を交互に照射するよう、前記ＬＥＤのアレイを制御するよう構成され、
前記ＬＥＤの第１のサブセットは、光線治療を提供するＬＥＤに対応し、
前記ＬＥＤの第２のサブセットが、遠隔フォトプレチスモグラフィに適した周波数スペクトルの光を放出するＬＥＤに対応する、請求項７に記載のデバイス。
【請求項１０】
前記検出ユニットの調整可能パラメータ又は不変の特性が、前記検出ユニットの作動タイミング及びスペクトル感度の少なくとも１つを含む、請求項１に記載のデバイス。
【請求項１１】
前記照明ユニットの調整可能パラメータ又は不変の特性が、
可能性がある点滅周波数の範囲、
光線治療光のスペクトル、及び
前記照明ユニットに含まれるＬＥＤのアレイのジオメトリ及び制御情報、の少なくとも１つを含む、請求項１に記載のデバイス。
【請求項１２】
前記検出ユニットが、前記光線治療療法を前記生体に提供するのに使用される光線治療光のスペクトルを減衰させるバンドストップ光学フィルタを用いて、前記検出される光をフィルタリングするよう構成される、請求項１に記載のデバイス。
【請求項１３】
生体を光で治療する光線治療装置であって、
光線治療療法を生体に提供する照明ユニットと、
請求項１に記載の前記生体のバイタルサイン情報をリモートで得るデバイスと、
前記得られたバイタルサイン情報を出力するユーザインタフェースとを有する、光線治療装置。
【請求項１４】
コンピュータで実行されるとき、コンピュータに、光線治療療法下の生体のバイタルサイン情報をリモートで得る方法のステップを実行させるプログラムコードを有するコンピュータプログラムであって、前記方法が、
少なくとも前記生体の関心領域から反射される少なくとも１つの波長間隔の光を検出ユニットで検出し、前記検出された光から入力信号を生成するステップと、
前記入力信号を処理し、遠隔フォトプレチスモグラフィ及び／又は運動分析を用いて前記入力信号から前記生体のバイタルサイン情報を得るステップと、
前記光線治療療法を前記生体に提供する照明ユニットと照明ユニットインタフェースを介して通信するステップと、
前記検出ユニットの調整可能パラメータ又は不変の特性及び前記照明ユニットの調整可能パラメータ又は不変の特性に直接的に基づき、前記検出ユニット及び前記照明ユニットの少なくとも１つを制御するステップとを有する、コンピュータプログラム。
【誤訳訂正２】
【訂正対象書類名】明細書
【訂正対象項目名】００１９
【訂正方法】変更
【訂正の内容】
【００１９】
この入力信号に基づかれる実際のバイタルサイン抽出は、処理ユニットにおいて実行される。この処理ユニットは、バイタルサイン情報を得るため、ＲＰＰＧ技術及び／又は運動分析技術を実現する。ＲＰＰＧは特に、生体の血液又は血管のボリュメトリック変化を示す反射された光における変動から、心拍、呼吸レート及び／又は血中酸素飽和を抽出することを指す。運動分析は特に、反射された光、即ち、生体の得られた画像を評価することから推論されることができる生体の運動から呼吸レートを抽出することを指す。例えば、胸部又は腹部が生体の呼吸が原因で移動されるとき、胸部又は腹部を含む生体の関心領域の画像における明瞭なラインは、曲げられる（即ち、変形に従う）。
【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
女性患者の膣組織萎縮を治療する為の装置であって、
前記患者の膣の組織又は周辺組織と係合するように適合されたエネルギ送達エレメントと、
内部膣組織への血流を、前記内部膣組織への血流のベースラインレベルを超える、ある増加したレベルまで増加させるべく、前記エネルギ送達エレメントにエネルギを送達するように適合されたエネルギ源であって、前記内部膣組織への血流の前記増加したレベルは、エネルギ印加が終了した後も持続する、前記エネルギ源と、
を備える装置。
【請求項２】
前記エネルギ源は超音波トランスデューサを備え、前記エネルギ送達エレメントは超音波結合媒体を備える、請求項１に記載の装置。
【請求項３】
前記エネルギ源は更に、０．５ＭＨｚから４ＭＨｚの間の周波数で超音波エネルギを供給するように適合された超音波発生器を備える、請求項２に記載の装置。
【請求項４】
前記エネルギ源は更に、０．２５Ｗ／ｃｍ２から５Ｗ／ｃｍ２の間の強度で超音波エネルギを供給するように適合された超音波発生器を備える、請求項２に記載の装置。
【請求項５】
前記エネルギ源は更に、２０％から８０％の範囲のデューティサイクルで超音波エネルギを供給するように適合された超音波発生器を備える、請求項２に記載の装置。
【請求項６】
前記超音波結合媒体は、膣口及び前記膣口の周辺組織を覆うように適合された容器の中に配置される、請求項２に記載の装置。
【請求項７】
前記容器は、前記患者の組織に順応するように適合されている、請求項６に記載の装置。
【請求項８】
前記超音波結合媒体は、前記エネルギ送達エレメントの面上にゲルを含む、請求項２に記載の装置。
【請求項９】
前記エネルギ送達エレメントは、前記患者の膣の外側の組織と係合するように適合されている、請求項１に記載の装置。
【請求項１０】
前記エネルギ送達エレメントは、前記患者の膣の内側の組織と係合するように適合されている、請求項１に記載の装置。
【請求項１１】
前記エネルギ送達エレメントは、前記患者の腹部又は骨盤の組織と係合するように適合されている、請求項１に記載の装置。
【請求項１２】
前記エネルギ送達エレメントが前記患者の膣の組織又は周辺組織と係合したときに、前記患者の膣の組織又は周辺組織の生理学的パラメータを測定するように適合及び構成されたセンサを更に備え、前記センサからの情報を用いて前記エネルギ送達エレメントからのエネルギ送達を制御するように更に構成されている、請求項１に記載の装置。
【請求項１３】
前記生理学的パラメータは、温度、血流、又は膣の潤滑である、請求項１２に記載の装置。
【手続補正書】
【提出日】平成30年4月19日(2018.4.19)
【手続補正１】
【補正対象書類名】特許請求の範囲
【補正対象項目名】全文
【補正方法】変更
【補正の内容】
【特許請求の範囲】
【請求項１】
ヒトプログラム細胞死１（ＰＤ−１）タンパク質に特異的に結合する、単離されたヒトモノクローナル抗体またはその抗原結合フラグメントであって、
該抗体またはその抗原結合フラグメントは、配列番号１６２の重鎖可変領域（ＨＣＶＲ）配列内に含まれる、３つの重鎖相補性決定領域（ＣＤＲｓ）（ＨＣＤＲ１、ＨＣＤＲ２およびＨＣＤＲ３）；および配列番号１７０の軽鎖可変領域（ＬＣＶＲ）配列内に含まれる、３つの軽鎖ＣＤＲｓ（ＬＣＤＲ１、ＬＣＤＲ２およびＬＣＤＲ３）を含む、
上記単離された抗体またはその抗原結合フラグメント。
【請求項２】
以下の：
（ａ）配列番号１６４のアミノ酸配列を有するＨＣＲＤ１ドメイン；
（ｂ）配列番号１６６のアミノ酸配列を有するＨＣＲＤ２ドメイン；
（ｃ）配列番号１６８のアミノ酸配列を有するＨＣＲＤ３ドメイン；
（ｄ）配列番号１７２のアミノ酸配列を有するＬＣＲＤ１ドメイン；
（ｅ）配列番号１７４のアミノ酸配列を有するＬＣＲＤ２ドメイン；および
（ｆ）配列番号１７６のアミノ酸配列を有するＬＣＲＤ３ドメイン；
を含む、請求項１に記載の単離された抗体またはその抗原結合フラグメント。
【請求項３】
抗体またはその抗原結合フラグメントは、配列番号１６２／１７０のＨＣＶＲ／ＬＣＶＲアミノ酸配列対を含む、請求項２に記載の単離された抗体またはその抗原結合フラグメント。
【請求項４】
抗体またはその抗原結合フラグメントは、以下の特性：
（ａ）２５℃における競合サンドイッチＥＬＩＳＡアッセイにおいて測定される３ｎＭ未満のＩＣ50でＰＤ−Ｌ１へのヒトＰＤ−１タンパク質結合を遮断する；
（ｂ）３７℃における表面プラズモン共鳴アッセイにおいて測定される約５０ｎＭ未満の結合解離平衡定数（ＫD）で単量体ヒトＰＤ−１に結合する；
（ｃ）２５℃における表面プラズモン共鳴アッセイにおいて約１２ｎＭ未満のＫDで単量体ヒトＰＤ−１に結合する；
（ｄ）２５℃における表面プラズモン共鳴アッセイにおいて約８．５ｎＭ未満のＫDで単量体カニクイザルＰＤ−１に結合する；
（ｅ）２５℃における表面プラズモン共鳴アッセイにおいて測定される約６．３分より長い解離半減期（ｔ1/2）で単量体ヒトＰＤ−１に結合する；および
（ｆ）３７℃における表面プラズモン共鳴アッセイにおいて測定される約０．９分より長い解離半減期（ｔ1/2）で単量体ヒトＰＤ−１に結合する；
のうちの１つまたはそれ以上を有する、請求項２に記載の単離された抗体またはその抗原結合フラグメント。
【請求項５】
抗体またはその抗原結合フラグメントは、重鎖および軽鎖を含み、ここで重鎖は配列番号３３０のアミノ酸配列を含む、請求項４に記載の単離された抗体またはその抗原結合フラグメント。
【請求項６】
抗体またはその抗原結合フラグメントは、重鎖および軽鎖を含み、ここで軽鎖は配列番号３３１のアミノ酸配列を含む、請求項４に記載の単離された抗体またはその抗原結合フラグメント。
【請求項７】
抗体またはその抗原結合フラグメントは、配列番号３３０／３３１の重鎖／軽鎖アミノ酸配列対を含む、請求項６に記載の単離された抗体またはその抗原結合フラグメント。
【請求項８】
ＨＣＶＲの３つのＣＤＲを含み、ここで該ＨＣＶＲは配列番号１６２のアミノ酸配列を有し；および、ＬＣＶＲの３つのＣＤＲを含み、ここで該ＬＣＶＲは配列番号１７０のアミノ酸配列を有する抗体またはその抗原結合フラグメントと、ヒトＰＤ−１タンパク質上の同じエピトープに結合する、単離された抗体またはその抗原結合フラグメント。
【請求項９】
請求項１に記載のＰＤ−１に結合する単離されたモノクローナル抗体またはその抗原結合フラグメント、および薬学的に許容し得る担体または希釈剤を含む、医薬組成物。
【請求項１０】
ヒトプログラム細胞死１（ＰＤ−１）タンパク質に特異的に結合する、単離されたヒトモノクローナル抗体またはその抗原結合フラグメントであって、
該抗体またはその抗原結合フラグメントは、配列番号１６２のアミノ酸配列を含む重鎖可変領域（ＨＣＶＲ）、および配列番号１７０のアミノ酸配列を含む軽鎖可変領域（ＬＣＶＲ）を含む、
上記単離された抗体またはその抗原結合フラグメント。
【請求項１１】
ヒトプログラム細胞死１（ＰＤ−１）タンパク質に特異的に結合する、単離されたヒトモノクローナル抗体またはその抗原結合フラグメントであって、
該抗体またはその抗原結合フラグメントは、配列番号３３０のアミノ酸配列を含む重鎖、および配列番号３３１のアミノ酸配列を含む軽鎖を含む、
上記単離された抗体またはその抗原結合フラグメント。
【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
改変IgH遺伝子座を含む細胞であって、該IgH遺伝子座の最3'側VHセグメントが、カセット標的配列を含み、かつ該改変IgH遺伝子座が、IgH遺伝子座の最3'側VHセグメントの3'末端とIgH遺伝子座のDHセグメントの5'末端の間に介在する核酸配列内に非機能性IGCR1配列をさらに含む、前記細胞。
【請求項２】
カセット標的配列が最3'側VHセグメントの置換を可能にする、請求項1記載の細胞。
【請求項３】
カセット標的配列が、
I-SceIメガヌクレアーゼ部位、Cas9/CRISPR標的配列、Talen標的配列、またはリコンビナーゼ媒介カセット交換システム
からなる群より選択される、請求項1記載の細胞。
【請求項４】
IgH遺伝子座の最3'側VHセグメントが、非ネイティブVHセグメント配列を含むよう改変されている、請求項1記載の細胞。
【請求項５】
非ネイティブVHセグメントがヒトVHセグメントである、請求項4記載の細胞。
【請求項６】
非ネイティブVHセグメントが、親和性または特異性の改善を必要とする既知の抗体由来のヒトVHセグメントである、請求項4記載の細胞。
【請求項７】
（a）1つまたは複数のJHセグメントの3'側に配置された3'リコンビナーゼ部位と、
欠失したネイティブ最3'側VHセグメントの位置に配置されたパッセンジャーカセットであって、5'から3'に向かって、
5'リコンビナーゼ部位、
逆位パッセンジャーVDJエクソンおよび／またはカセット標的配列、ならびに
成熟適合性VHセグメント
を含む、パッセンジャーカセットと
をさらに含み、リコンビナーゼ部位が互いに関して逆位である；または
（b）1つまたは複数のJHセグメントの3'側に配置された3'リコンビナーゼ部位と、
欠失したネイティブ最3'側VHセグメントの位置に配置されたパッセンジャーカセットであって、5'から3'に向かって、
5'から3'への配向のパッセンジャーVDJエクソンおよび／またはカセット標的配列、
5'リコンビナーゼ部位、ならびに
成熟適合性VHセグメント
を含む、パッセンジャーカセットと
をさらに含み、リコンビナーゼ部位が同じ配向である、
請求項1記載の細胞。
【請求項８】
請求項1記載の細胞を含む、遺伝子改変マウス。
【請求項９】
第1の集団が、V(D)J組み換え欠陥である細胞を含み、かつ
第2の集団が、請求項1記載の細胞を含む、
2つの細胞集団を含む、キメラ遺伝子改変マウス。
【請求項１０】
マウス胚盤胞に請求項1記載の細胞を注入する工程であって、細胞がマウス胚性幹細胞であり、VHセグメントがネイティブ最3'側VHセグメントの位置に既知の抗体のVHセグメントを含む、工程；
胚盤胞から遺伝子改変マウスへと成熟させるのに適した条件下で、マウス胚盤胞をメスマウスに移植する工程；
遺伝子改変マウスから、
1）非ネイティブVHセグメントを含む最適化された抗体；または
2）非ネイティブVHセグメントを含む最適化された抗体を産生する細胞
を単離する工程
を含む、既知の抗体から最適化された抗体を作製する方法。
【請求項１１】
マウスIgH遺伝子座の最近位側VHセグメントを既知のモノクローナル抗体由来のVHセグメントで置き換えることによって、マウス胚性幹細胞を改変する工程；
IgH遺伝子座の最3'側VHセグメントの3'末端とIgH遺伝子座のDHセグメントの5'末端の間に介在する核酸配列内のIGCR1配列を、非機能性となるように改変する工程；および
成熟B細胞を形成することができないマウスの胚盤胞に、改変されたマウス胚性幹細胞を注入し、それによって既知のモノクローナル抗体由来のVHセグメントを含むVH（D)JH再構成体を含むBリンパ球を生成するキメラマウスを作製する工程
を含む、既知のモノクローナル抗体由来のVHセグメントを含むVH（D)JH再構成体を含むBリンパ球を生成する方法。
【請求項１２】
哺乳動物の末梢B細胞の大部分が関心対象のVHセグメントを発現するよう改変された請求項8記載の哺乳動物を、抗原で免疫する工程；
該哺乳動物におけるB細胞の活性化を測定する工程；および
該哺乳動物におけるB細胞の活性化が参照レベルに対して増大している場合に、関心対象のVHセグメントを含むB細胞集団の活性化因子として候補抗原を同定する工程
を含む、関心対象のVHセグメントを含むB細胞集団を活性化させる抗原として候補抗原を同定する方法。
【請求項１３】
非機能性IGCR1配列が変異CBE配列を含むか；IGCR1配列のCBE配列が欠失しているか；またはIGCR1配列がIgH遺伝子座から欠失している、請求項1記載の細胞。
【請求項１４】
マウス細胞である、請求項1記載の細胞。
【請求項１５】
マウス幹細胞またはマウス胚性幹細胞である、請求項14記載の細胞。
【請求項１６】
幹細胞または胚性幹細胞である、請求項1記載の細胞。
【請求項１７】
リコンビナーゼ部位がLoxP部位であり、かつ前記細胞がcreリコンビナーゼをコードする遺伝子座をさらに含む、請求項7記載の細胞。
【請求項１８】
creリコンビナーゼをコードする遺伝子座が、未成熟B細胞において活性でなくかつ末梢B細胞において活性であるプロモーターの制御下にある、請求項17記載の改変細胞。
【請求項１９】
プロモーターがCD21プロモーターである、請求項18記載の細胞。
【請求項２０】
IgH遺伝子座が、
1つまたは複数の非ネイティブDHセグメント；
1つのネイティブDHセグメント；
JHセグメントがヒトJH2であるなどの、1つまたは複数の非ネイティブJHセグメント；
1つのネイティブJHセグメント；
マウスIgH遺伝子座配列；
ヒトIgH遺伝子座配列；および／または
ヒト化IgH遺伝子座配列
をさらに含む、請求項1記載の細胞。
【請求項２１】
JH遺伝子座が、ヒトDおよびJHカセットまたはヒトDJH集合体を含むカセットによって置換されている、請求項1記載の細胞。
【請求項２２】
前記細胞が、請求項1記載の改変IgH遺伝子座に関してヘテロ接合性であり、かつ他方のIgH遺伝子座が不活性となるよう改変されており、前記細胞が、請求項1記載の改変IgH遺伝子座からのみIgH鎖を発現する、請求項1記載の細胞。
【請求項２３】
ヒト配列を有するIgL遺伝子座、
ヒト化IgL遺伝子座、
ヒトIgL遺伝子座、
1つのVLセグメントを有するIgL遺伝子座、
1つのJLセグメントを有するIgL遺伝子座、
IgLカッパもしくはラムダ遺伝子座におけるヒトVLJL再構成体、および／または
マウスIgLカッパもしくはラムダ遺伝子座におけるヒトVLJL再構成体
をさらに含み；ならびに／または
IgL遺伝子座が、IGκV1またはVRC01 IgLをコードする、
請求項1記載の細胞。
【請求項２４】
GC抗体成熟応答を増大させる遺伝子を活性化、不活性化、または変更することができる変異をさらに含む、請求項1記載の細胞。
【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
エアロゾル発生システム用の流体透過性ヒーター組立品であって、前記流体透過性ヒーター組立品が、
基体であって前記基体を貫く開口部を含むものと、
前記開口部上に配置された導電性の実質的に平面のフィラメント配置と、
前記フィラメント配置を前記基体に機械的に固定する締付手段とを備え、前記締付手段が導電性であり、かつ前記フィラメント配置を通した加熱用電流を供給するための電気接点の役目をする、流体透過性ヒーター組立品。
【請求項２】
前記フィラメント配置を前記基体に機械的に固定する前記締付手段が前記基体との締りばめまたは圧力ばめを提供する、請求項１に記載の流体透過性ヒーター組立品。
【請求項３】
前記締付手段が前記基体の横側の部分上に延び、かつ弾力性の脚を備え、前記弾力性の脚が、前記フィラメント配置を前記基体の上面に押しつけ、また前記フィラメント配置および基体が前記弾力性の脚の間に配置される、請求項１〜２のいずれか１項に記載の流体透過性ヒーター組立品。
【請求項４】
前記基体が、その窪み内に前記フィラメント配置および前記締付手段を受けるための窪みを含む、請求項１〜３のいずれか１項に記載の流体透過性ヒーター組立品。
【請求項５】
前記締付手段が前記基体の前記窪み内に挿入されたステープル様の要素である、請求項１〜４のいずれか１項に記載の流体透過性ヒーター組立品。
【請求項６】
前記窪みおよび前記ステープル様の要素が対応する非平面の接触面を含む、請求項５に記載の流体透過性ヒーター組立品。
【請求項７】
前記窪みが、前記基体の上面の少なくとも一部分を横切って延びる長軸方向の窪み、前記基体内の個別の貫通孔、または前記基体の周辺の窪みのどれか１つまたはその組み合わせである、請求項１〜６のいずれか１項に記載の流体透過性ヒーター組立品。
【請求項８】
前記締付手段が前記長軸方向の窪み内に配置され締め付けられる弾力性の脚部分を備える、請求項７に記載の流体透過性ヒーター組立品。
【請求項９】
前記フィラメント配置がメッシュを形成する複数のフィラメントを含む、請求項１〜８のいずれか１項に記載の流体透過性ヒーター組立品。
【請求項１０】
前記基体が電気的に分離され、実質的に平面で、好ましくはディスク形の要素である、請求項１〜９のいずれか１項に記載の流体透過性ヒーター組立品。
【請求項１１】
エアロゾル発生システム用の流体透過性ヒーターを組み立てるための方法であって、前記方法が、
基体を提供し、前記基体を通して開口部を提供する工程と、
導電性フィラメントを前記基体の前記開口部上に配置する工程と、
締付手段によって前記フィラメントを前記基体に機械的に固定する工程と、
前記締付手段によって電気接点を前記フィラメントに提供する工程とを含む、方法。
【請求項１２】
窪みを前記基体内に提供し、前記締付手段を前記窪み内に押す工程をさらに含む、請求項１１に記載の方法。
【請求項１３】
締付力が前記基体の上面に対して実質的に直角をなす方向に作用する、請求項１１または１２のいずれか１項に記載の方法。
【請求項１４】
締付力が前記基体内で上面に対して実質的に横方向に作用する、請求項１１または１２のいずれか１項に記載の方法。
【請求項１５】
液体エアロゾル形成基体を保持するためのハウジングを含む保管部分であって、前記ハウジングが開放端を持つものと、
前記流体透過性ヒーター組立品の前記フィラメント配置が前記ハウジングの前記開放端上に配置されるように、前記ハウジングの横に配置された請求項１〜１０のいずれか１項に記載の流体透過性ヒーター組立品と、
前記流体透過性ヒーター組立品の前記締付手段を前記電源に電気的に接続するための電源コネクターとを含む、エアロゾル発生システム。